(57)【要約】【課題】アルミ戸又は窓用の暗号式ロック装置の提供。【解決手段】ベースの回転部にラッチが枢設されたアルミ戸又は窓用の暗号式ロック装置において、該ラッチの凹溝に一組のダイアルロックが取り付けられ、該ダイアルロックが雄ロックケース、雌ロックケース、ロックコア、位置決めリング及びプッシュブロックで組成され、該ロックコアの横棒がプッシュブロックの溝中に設置され、該位置決めリングがロックコアに套設されてキャッチリングと凹縁の間に位置し、該ロックコアの凹縁に雄ロックケースに係止される受座があり、雄ロックケースと雌ロックケースがロックされる時、その受座、上板及び間隔板の一側の凹溝が位置決めリング側面の凸塊に対応し、該位置決めリング外環に数字ダイアルが設けられ、この数字ダイアルが受座、上板及び間隔板間に形成された中空区内で活動する。【選択図】　　　　図１
2004036221.tif 000002
【特許請求の範囲】
【請求項１】
アルミ戸又は窓用の暗号式ロック装置において、ベースの回転部にラッチが枢設され、該ラッチの凹溝に一組のダイアルロックが取り付けられ、該ダイアルロックが雄ロックケース、雌ロックケース、ロックコア、位置決めリング及びプッシュブロックで組成され、該雄ロックケースの底部がラッチの凹溝に対応する設計とされ、該雄ロックケースの底部上面に受座と上板が設けられ、受座と上板の間に一つ以上の間隔板が設けられ、受座、上板と間隔板の間に中空区が形成され、該雌ロックケースに雄ロックケースに対応して受座、上板及び間隔板及び中空区が設けられ、該雄ロックケースと雌ロックケースが対応するよう固定された後に貫通する凹溝が形成され、上板上方に滑り溝が形成され、該ロックコアの横棒がプッシュブロックの溝中に設置され、該位置決めリングがロックコアに套設され並びにキャッチリングと凹縁の間に位置し、該ロックコアの凹縁が雄ロックケースの受座に嵌め込まれてから雌ロックケースが雄ロックケースに固定され、雄ロックケースと雌ロックケースの受座、上板及び間隔板の一側に凹溝が形成されて位置決めリング側面の凸塊の活動に供され、該位置決めリングの外部に数字ダイアルが取り付けられ、該数字ダイアルが受座、上板と間隔板間に形成された中空区内を活動し、以上の設計により戸又は窓のロック効果を強化し、盗難防止し、環境の安全性を高めることを特徴とする、アルミ戸又は窓用の暗号式ロック装置。
【請求項２】
請求項１に記載のアルミ戸又は窓用の暗号式ロック装置において、戸をラッチするキャビネットに運用されたことを特徴とする、アルミ戸又は窓用の暗号式ロック装置。
【発明の詳細な説明】
【０００１】
【発明の属する技術分野】
本発明は一種のアルミ戸又は窓用の暗号式ロック装置に係り、特に、盗難防止効果を強化でき、環境安全性を高められるロック装置の設計に関する。
【０００２】
【従来の技術】
一般にアルミ戸又は窓にはラッチ構造が設けられ、２枚のアルミ戸、窓をロックすることができ、アルミ戸又は窓の構造性を高め、強風豪雨の侵入防止を達成する。且つ外出したり、夜間に休む時、戸や窓を簡単にロックし、外部の人間が簡単に侵入するのを防止することができる。
【０００３】
このような設計は便利であるが、安全面で以下のような多くの使用上の欠点を有していた。
１．一般に従来のアルミ戸又は窓の構造は、ラッチ構造が僅かに戸或いは窓に対する簡単なロックしか行えず、子供が遊んだり、登ったりする時に、不注意から簡単にロックされてしまったり、ラッチが回されて窓や戸が開いて子供が墜落する事故が発生しやすかった。
２．従来のアルミ戸又は窓のラッチ構造は、戸や窓に対する簡単なロックしか行えず、医療現場の患者が長く病に苦しみ、自殺を思い立った場合に、簡単に戸を開けて飛び下り自殺できた。
【０００４】
【発明が解決しようとする課題】
本発明の主要な目的は、一種のアルミ戸又は窓用の暗号式ロック装置を提供し、本発明の設計により、アルミ戸又は窓のロック効果を強化し、泥棒防止の効果を高め、さらに環境の安全性を高めることにある。
【０００５】
【課題を解決するための手段】
請求項１の発明は、アルミ戸又は窓用の暗号式ロック装置において、ベースの回転部にラッチが枢設され、該ラッチの凹溝に一組のダイアルロックが取り付けられ、該ダイアルロックが雄ロックケース、雌ロックケース、ロックコア、位置決めリング及びプッシュブロックで組成され、該雄ロックケースの底部がラッチの凹溝に対応する設計とされ、該雄ロックケースの底部上面に受座と上板が設けられ、受座と上板の間に一つ以上の間隔板が設けられ、受座、上板と間隔板の間に中空区が形成され、該雌ロックケースに雄ロックケースに対応して受座、上板及び間隔板及び中空区が設けられ、該雄ロックケースと雌ロックケースが対応するよう固定された後に貫通する凹溝が形成され、上板上方に滑り溝が形成され、該ロックコアの横棒がプッシュブロックの溝中に設置され、該位置決めリングがロックコアに套設され並びにキャッチリングと凹縁の間に位置し、該ロックコアの凹縁が雄ロックケースの受座に嵌め込まれてから雌ロックケースが雄ロックケースに固定され、雄ロックケースと雌ロックケースの受座、上板及び間隔板の一側に凹溝が形成されて位置決めリング側面の凸塊の活動に供され、該位置決めリングの外部に数字ダイアルが取り付けられ、該数字ダイアルが受座、上板と間隔板間に形成された中空区内を活動し、以上の設計により戸又は窓のロック効果を強化し、盗難防止し、環境の安全性を高めることを特徴とする、アルミ戸又は窓用の暗号式ロック装置としている。
請求項２の発明は、請求項１に記載のアルミ戸又は窓用の暗号式ロック装置において、戸をラッチするキャビネットに運用されたことを特徴とする、アルミ戸又は窓用の暗号式ロック装置としている。
【０００６】
【発明の実施の形態】
本発明のアルミ戸又は窓用の暗号式ロック装置は、ベースの回転部にラッチが枢設されたアルミ戸又は窓用の暗号式ロック装置において、該ラッチの凹溝に一組のダイアルロックが取り付けられ、該ダイアルロックが雄ロックケース、雌ロックケース、ロックコア、位置決めリング及びプッシュブロックで組成され、該ロックコアの横棒がプッシュブロックの溝中に設置され、該位置決めリングがロックコアに套設されてキャッチリングと凹縁の間に位置し、該ロックコアの凹縁に雄ロックケースに係止される受座があり、雄ロックケースと雌ロックケースがロックされる時、その受座、上板及び間隔板の一側の凹溝が位置決めリング側面の凸塊に対応し、該位置決めリング外環に数字ダイアルが設けられ、この数字ダイアルが受座、上板及び間隔板間に形成された中空区内で活動する。本発明の構造により、アルミ戸又は窓のロック効果を強化し、且つこの暗号式ロック装置が、ただ暗号式ロック装置の暗号を覚えるだけで、戸或いは窓のロック或いはロック解除が行える。
【０００７】
【実施例】
図１は本発明の立体構造分解図であり、本発明のアルミ戸又は窓用の暗号式ロック装置は、ベース１の回転部１１にラッチ２が枢設され、該ラッチ２の凹溝２１に一組のダイアルロック３が増設されている。
【０００８】
該ダイアルロック３は、雄ロックケース３１、雌ロックケース３２、ロックコア３３、位置決めリング３４及びプッシュブロック３５で組成されている。
該雄ロックケース３１の底部がラッチ２の凹溝２１内に対応するよう設計され、該雄ロックケース３１の底部上面に半円形の受座３１１及び上板３１２が設けられ、受座３１１と上板３１２の間に一つ以上の間隔板３１３が設けられ、受座３１１と上板３１２と間隔板３１３の間に中空区３１４が形成されている。
【０００９】
該雌ロックケース３２において、雄ロックケース３１に設置された受座３１１、上板３１２及び間隔板３１３に対応する位置に、受座３２１、上板３２２及び間隔板３２３が設けられ、且つ受座３２１、上板３２２と間隔板３２３の間に中空区３２４が形成されている。
【００１０】
該ロックコア３３は棒体とされ、上部に横棒３３１が固定され、棒体の適当な部分にキャッチリング３３２が凸設され、一つの凹縁３３３が凹設されている。
【００１１】
該位置決めリング３４はロックコア３３に対応し套設され、その一側面に凸塊３４１が凸設されている。
【００１２】
該プッシュブロック３５にヘ状の溝３５１が設けられ、該溝３５１の両端の係止端が不等高の設計とされている。
【００１３】
組立時には、ロックコア３３の横棒３３１をプッシュブロック３５のへ状の溝３５１中に設置し、該位置決めリング３４をロックコア３３に套設し、並びにロックコア３３のキャッチリング３３２と凹縁３３３の間に位置させる。そのうち位置決めリング３４の側面に設けた凸塊３４１を組立時に左向き（図１の部品放置位置において）とし、このとき、ロックコア３３の凹縁３３３を雄ロックケース３１の受座３１１に対応係止し、さらに雌ロックケース３２を雄ロックケース３１にロックする。雄ロックケース３１、雌ロックケース３２の対称設計により、雄ロックケース３１、雌ロックケース３２組立後、その受座３１１、３２１、上板３１２、３２２、及び間隔板３１３、３２３の一側に凹溝ａが形成され、上板３１２、３２２の上方に滑り溝ｂが形成され、該凹溝ａが位置決めリング３４側面に設けた凸塊３４１の活動に供され、位置決めリング３４の外環に数字ダイアルｃが設けられ、該数字ダイアルｃは受座３１１、３２１、上板３１２、３２２と間隔板３１３、３２３間に形成された中空区３１４、３２４内で活動し、該滑り溝ｂはプッシュブロック３５の左右の活動に供される。さらに、組立完成したダイアルロック３とラッチ２を組み付けた後、ベース１の回転部１１に固定し、本発明の組み付けを完成する（図２参照）。
【００１４】
本発明のアルミ戸又は窓用の暗号式ロック装置の組み付け完成後、その断面構造は図３に示されるようであり、このときのロック装置の状態は一般に周知の戸、窓のラッチ構造と同じであり、簡単に二枚の戸、窓を簡単にロックできる。使用者がアルミ戸又は窓に対して安全強化したロックを行いたい時は、まず、プッシュブロック３５を滑り溝ｂに沿って右向きに押動し（図４参照）、ダイアルロック３をベース１の上端部に嵌合させ、該ロックコア３３がプッシュブロック３５の溝３５１の両端の係止端の不等高の設計により、上向きに駆動されて移動し、この時、位置決めリング３４の凸塊３４１が移動して受座３１１、３２１、上板３１２、３２２及び間隔板３１３、３２３の間の中空区３１４、３２４中に至り、使用者が数字ダイアルｃを回して位置決めリング３４の凸塊３４１を、凹溝ａより離脱させ、係止、安全ロックの効果を達成する（図５参照）。
【００１５】
また、使用者がアルミ戸又は窓を開けたい時は、まず、ダイアルロック３の暗号を入力し、直接数字ダイアルｃを回してロックの暗号を雌ロックケース３２のマークｄに合わせる。正確な暗号入力が完成すると、該位置決めリング３４の凸塊３４１が雄ロックケース３１、雌ロックケース３２組合せ後に形成された貫通する凹溝ａに整合し（図４参照）、このとき、プッシュブロック３５を左に押動してプッシュブロック３５とベース１の上端部を離脱させれば、ダイアルロック３を下向きに回すことができ、これによりラッチ２を回して戸又は窓の係止片より離脱させることができ、順調にアルミ戸又は窓を開けることができる。
【００１６】
本発明のアルミ戸又は窓用の暗号式ロック装置は広く一般の家庭の戸又は窓、或いは高層ビルの戸又は窓、或いは病院の特殊病室及び隔離質の戸又は窓等に運用することができる。
【００１７】
本発明のアルミ戸又は窓用の暗号式ロック装置は、一般のビルの戸又は窓に運用され、例えば一階の戸又は窓については室外に取り付けることができ、使用者が短時間外出する時、本発明のダイアルロックを玄関の戸に取り付けて、簡単、安全なロックを行うことができる。二階以上のアルミ戸又は窓では、本発明を室内に取り付け、使用者が外出したり、或いは夜間の休息をとる時、戸又は窓をロックし、外部の人間の侵入を防止することができる。
【００１８】
本発明のアルミ戸又は窓用の暗号式ロック装置は、高層ビルの戸又は窓に非常に適用され、ダイアルロックの増設により、アルミ戸又は窓を従来の戸又は窓構造とは異なり、容易には開けられないようにし、子供が遊んだりはい登って不注意から戸又は窓を開けて墜落するのを防止でき、安全性が極めて高い。
【００１９】
本発明のアルミ戸又は窓用の暗号式ロック装置は、一般の病院の特殊病室或いは隔離質に運用される時、医療関係者がアルミ戸又は窓の暗号を入力してアルミ戸又は窓をロックでき、患者が病を苦にして自殺を思い立っても、簡単には戸又は窓を開けられないため、飛び下り自殺を防止できる。
【００２０】
本発明のアルミ戸又は窓用の暗号式ロック装置は、ダイアルロックが暗号入力を正確に行わなければ開けられず、比較的高い秘密性を有しており、キャビネットに運用されて、使用者が重要文献或いは物品を収納するのに供される。
【００２１】
【発明の効果】
１．本発明のアルミ戸又は窓用の暗号式ロック装置は、その設計により、アルミ戸又は窓のロック効果を強化できる。
２．本発明のアルミ戸又は窓用の暗号式ロック装置は、その設計により、ただダイアルロックの暗号を覚えておけばよく、外出時に鍵を失って盗難に遭う恐れがない。
３．本発明のアルミ戸又は窓用の暗号式ロック装置は、非常に高層ビルの戸又は窓に適用し、ダイアルロックの増設により、アルミ戸又は窓が、周知の戸又は窓の構造のようには簡単に開けられず、子供が遊んだりはい登って不注意から戸又は窓を開けて墜落するのを防止でき、安全性が極めて高い。
４．本発明のアルミ戸又は窓用の暗号式ロック装置は、その設計により、一般の病院の特殊病室或いは隔離質に運用可能で、医療関係者がアルミ戸又は窓の暗号を入力してアルミ戸又は窓をロックでき、患者が病を苦にして自殺を思い立っても、簡単には戸又は窓を開けられないため、飛び下り自殺を防止できる。
５．本発明のアルミ戸又は窓用の暗号式ロック装置は、ダイアルロックが暗号入力を正確に行わなければ開けられず、比較的高い秘密性を有しており、キャビネットに運用されて、使用者が重要文献或いは物品を収納するのに供される。
【００２２】
総合すると、本発明の実施例は確実に予期された使用効果を達成でき、またその記載された具体構造は従来の同類の製品中に見られず、またその出願前に公開されておらず、完全に特許の要件を満たしている。
【００２３】
以上の説明は、本発明の好ましい実施例にかかるものに過ぎず、本発明の実施範囲を限定するものではなく、以上の説明及び図面に基づき容易になしうる細部の修飾或いは改変は、いずれも本発明の請求範囲に属するものとする。
【図面の簡単な説明】
【図１】本発明の構造の立体分解図である。
【図２】本発明の構造の立体図である。
【図３】本発明の操作動作図である。
【図４】本発明の操作動作図である。
【図５】本発明の操作動作図である。
【図６】本発明の操作動作図である。
【符号の説明】
１　ベース　　　　　　１１　回転部
２　ラッチ　　　　　　２１　凹溝
３　ダイアルロック　　３１　雄ロックケース
３１１　受座　　　　　３１２　上板
３１３　間隔板　　　　３１４　中空区
３２　雌ロックケース　　３２１　受座
３２２　上板　　　　　　３２３　間隔板
３２４　中空区　　　　　３３　ロックコア
３３１　横棒　　　　　　３３２　キャッチリング
３３３　凹縁　　　　　　３４　位置決めリング
３４１　凸塊　　　　　　３５　プッシュブロック
３５１　溝
ａ　凹溝　　　　　　　　ｂ　滑り溝
ｃ　数字ダイアル　　　　ｄ　マーク
【図１】
2004036221.tif 000003
【図２】
2004036221.tif 000004
【図３】
2004036221.tif 000005
【図４】
2004036221.tif 000006
【図５】
2004036221.tif 000007
【図６】
2004036221.tif 000008